(57)【要約】【課題】より実態に即した温度データを用いて発光制御データを補正することの可能な表示装置および照明装置、ならびにそのような表示装置を備えた電子機器を提供する。【解決手段】本技術の表示装置は、複数の画素が行列状に配置された表示領域を有する表示パネルと、表示領域の表面温度を非接触で計測する温度センサとを備えている。この表示装置は、さらに、第１発光制御データを温度センサの出力に応じて補正することにより得られた第２発光制御データに基づいて各画素を駆動する駆動回路基板を備えている。【選択図】図１
2015194543.tif 000002
【特許請求の範囲】
【請求項１】
複数の画素が行列状に配置された表示領域を有する表示パネルと、
前記表示領域の表面温度を非接触で計測する温度センサと、
第１発光制御データを前記温度センサの出力に応じて補正することにより得られた第２発光制御データに基づいて各前記画素を駆動する駆動回路基板と
を備えた
表示装置。
【請求項２】
前記表示パネル、前記温度センサおよび前記駆動回路基板を収容する筐体をさらに備え、
前記筐体は、前記表示領域と対向する位置に開口を有し、さらに、前記開口の周囲に環状の額縁部を有し、
前記温度センサは、前記額縁部と対向する位置に配置されている
請求項１に記載の表示装置。
【請求項３】
前記表示パネルと前記額縁部との間に空隙が存在しており、
前記温度センサは、前記空隙に配置されている
請求項２に記載の表示装置。
【請求項４】
前記温度センサは、第１固定部を介して、前記額縁部の裏面、または前記表示パネルの上面に固定されている
請求項３に記載の表示装置。
【請求項５】
前記温度センサは、前記額縁部の上面に配置され、
前記筐体は、前記温度センサを覆うカバー部を有する
請求項２に記載の表示装置。
【請求項６】
前記温度センサは、第２固定部を介して前記カバー部に固定されている
請求項５に記載の表示装置。
【請求項７】
前記駆動回路基板は、前記温度センサの出力が所定の範囲外となっている場合に、前記温度センサの出力が前記所定の範囲内となるように、前記第１発光制御データを前記温度センサの出力に応じて補正する
請求項２に記載の表示装置。
【請求項８】
前記駆動回路基板は、前記表示領域を細分化した部分領域ごとに、前記温度センサの出力が所定の範囲内となっているか否かを判定し、その結果、複数の部分領域のうちの一部の部分領域である特定領域において前記温度センサの出力が前記所定の範囲外となっている場合には、前記特定領域において前記温度センサの出力が前記所定の範囲内となるように、前記特定領域に対応する前記第１発光制御データを前記温度センサの出力に応じて補正する
請求項７に記載の表示装置。
【請求項９】
前記駆動回路基板は、前記特定領域において前記温度センサの出力が前記所定の範囲外となっている場合に、前記特定領域の外縁に対応する前記第１発光制御データと、前記特定領域に隣接する全ての部分領域のうち前記特定領域に近接する領域に対応する前記第１発光制御データとに対して、映像に輝度の境界が生じないように、輝度の境界をぼやかす補正を行う
請求項８に記載の表示装置。
【請求項１０】
前記温度センサは、赤外線センサである
請求項２に記載の表示装置。
【請求項１１】
各前記画素は、有機ＥＬ素子を含む
請求項２に記載の表示装置。
【請求項１２】
複数の画素が行列状に配置された照明領域を有する照明パネルと、
前記照明領域の表面温度を非接触で計測する温度センサと、
第１発光制御データを前記温度センサの出力に応じて補正することにより得られた第２発光制御データに基づいて各前記画素を駆動する駆動回路基板と
を備えた
照明装置。
【請求項１３】
前記照明パネル、前記温度センサおよび前記駆動回路基板を収容する筐体をさらに備え、
前記筐体は、前記照明領域と対向する位置に開口を有し、さらに、前記開口の周囲に環状の額縁部を有し、
前記温度センサは、前記額縁部と対向する位置に配置されている
請求項１２に記載の照明装置。
【請求項１４】
表示装置を備え、
前記表示装置は、
複数の画素が行列状に配置された表示領域を有する表示パネルと、
前記表示領域の表面温度を非接触で計測する温度センサと、
第１発光制御データを前記温度センサの出力に応じて補正することにより得られた第２発光制御データに基づいて各前記画素を駆動する駆動回路基板と
を有する
電子機器。
【発明の詳細な説明】
【技術分野】
【０００１】
本技術は、パネル温度を制御することの可能な表示装置および照明装置、ならびにそのような表示装置を備えた電子機器に関する。
【背景技術】
【０００２】
近年、表示装置や照明装置の分野では、画素の発光素子として、流れる電流値に応じて発光輝度が変化する電流駆動型の発光素子、例えば有機ＥＬ(Electro Luminescence)素子を用いた表示装置が開発され、商品化が進められている。有機ＥＬ素子は、素子自体が発熱する特性を有している。素子温度が高くなると、素子の劣化が進行する。素子の劣化の進行に伴い、素子に流れる電流の大きさに変化がなくても、発光輝度が低下してしまう。
【０００３】
この問題に対して、画素温度に応じて発光制御データを補正することにより、素子温度の上昇を抑えることが考えられる。ここで、画素温度の計測方法として、従来から様々な方策が提案されている。例えば、駆動回路基板に温度センサを配置し、この温度センサの出力値から画素温度を推定することが提案されている。また、例えば、特許文献１では、表示領域に隣接する場所にダミー画素と温度センサを設け、そのダミー画素に対して所定の表示データを入力し、そのときのダミー画素の温度を温度センサで計測することにより、表示領域の画素温度を推定することが提案されている。
【先行技術文献】
【特許文献】
【０００４】
【特許文献１】特開２０１３−２５０４７５号公報
【発明の概要】
【発明が解決しようとする課題】
【０００５】
しかし、前者の方法では、駆動回路基板の温度は、周囲環境や継続動作時間に依存する。そのため、例えば、電源を５分間だけ切った後に表示装置を再度動作させた場合と、電源を長時間切った後に（すなわち、表示装置が十分に冷えた状態で）表示装置を再度動作させた場合とで、駆動回路基板の温度の上昇率に差が生じてしまう。また、後者の方法では、所定の表示データとして、表示領域に入力されている最大値の表示データが用いられるので、ダミー画素の温度から推定される表示領域の画素温度を、実際の画素温度に近づけることは極めて難しい。
【０００６】
本技術はかかる問題点に鑑みてなされたものであり、その目的は、より実態に即した温度データを用いて発光制御データを補正することの可能な表示装置および照明装置、ならびにそのような表示装置を備えた電子機器を提供することにある。
【課題を解決するための手段】
【０００７】
本技術の表示装置は、複数の画素が行列状に配置された表示領域を有する表示パネルと、表示領域の表面温度を非接触で計測する温度センサとを備えている。この表示装置は、さらに、第１発光制御データを温度センサの出力に応じて補正することにより得られた第２発光制御データに基づいて各画素を駆動する駆動回路基板を備えている。
【０００８】
本技術の照明装置は、複数の画素が行列状に配置された照明領域を有する照明パネルと、照明領域の表面温度を非接触で計測する温度センサとを備えている。この照明装置は、さらに、第１発光制御データを温度センサの出力に応じて補正することにより得られた第２発光制御データに基づいて各画素を駆動する駆動回路基板を備えている。
【０００９】
本技術の電子機器は、上記の表示装置を備えている。
【００１０】
本技術の表示装置、照明装置および電子機器では、各温度センサによって、非接触で表示領域または照明領域の表面温度が計測される。さらに、第１発光制御データを温度センサの出力に応じて補正することにより得られた第２発光制御データに基づいて、各画素が駆動される。このように、本技術では、画素に近い位置にある表示領域または照明領域の表面温度が計測されるので、計測値として、実際の画素温度に近い温度に対応した値が得られる。
【発明の効果】
【００１１】
本技術の表示装置、照明装置および電子機器によれば、計測値として、実際の画素温度に近い温度に対応した値が得られるようにしたので、より実態に即した温度データを用いて発光制御データを補正することができる。本技術の効果は、ここに記載された効果に必ずしも限定されず、本明細書中に記載されたいずれの効果であってもよい。
【図面の簡単な説明】
【００１２】
【図１】本技術の第１の実施の形態に係る表示装置の概略構成を表す図である。
【図２】各画素内の回路構成の一例を表す図である。
【図３Ａ】表示画素の一例を表す図である。
【図３Ｂ】表示画素の一例を表す図である。
【図４Ａ】温度センサの配置の一例を表す図である。
【図４Ｂ】温度センサの配置の一例を表す図である。
【図５Ａ】温度センサの配置の一例を表す図である。
【図５Ｂ】温度センサの配置の一例を表す図である。
【図６】表示装置の断面構成の一例を表す図である。
【図７】表示装置の断面構成の一例を表す図である。
【図８】表示装置の断面構成の一例を表す図である。
【図９】表示装置の断面構成の一例を表す図である。
【図１０】表示装置の断面構成の一例を表す図である。
【図１１】表示装置の断面構成の一例を表す図である。
【図１２】駆動回路基板の概略構成の一例を表す図である。
【図１３】信号処理回路の概略構成の一例を表す図である。
【図１４】表示領域を複数の領域に分割する方法の一例を表す図である。
【図１５Ａ】表示領域の一部に対応する表示制御データの補正方法の一例を表す図である。
【図１５Ｂ】表示領域の一部に対応する表示制御データの補正方法の一例を表す図である。
【図１６】ドライバの概略構成の一例を表す図である。
【図１７】表示パネルに印加される信号波形および画素回路内の信号波形の一例を表す図である。
【図１８】本技術の第２の実施の形態に係る表示装置の概略構成を表す図である。
【図１９】各画素内の回路構成の一例を表す図である。
【図２０】本技術の第３の実施の形態に係る照明装置の概略構成を表す図である。
【図２１】本技術の第４の実施の形態に係る照明装置の概略構成を表す図である。
【図２２】上記第１の実施の形態の表示装置の適用例１の外観を表す斜視図である。
【図２３Ａ】適用例２の表側から見た外観を表す斜視図である。
【図２３Ｂ】適用例２の裏側から見た外観を表す斜視図である。
【図２４】適用例３の外観を表す斜視図である。
【図２５】適用例４の外観を表す斜視図である。
【図２６】（Ａ）は適用例５の開いた状態の正面図、（Ｂ）はその側面図、（Ｃ）は閉じた状態の正面図、（Ｄ）は左側面図、（Ｅ）は右側面図、（Ｆ）は上面図、（Ｇ）は下面図である。
【発明を実施するための形態】
【００１３】
以下、本技術を実施するための形態について、図面を参照して詳細に説明する。なお、説明は以下の順序で行う。
１．第１の実施の形態（有機ＥＬディスプレイ）
２．第２の実施の形態（ＬＥＤディスプレイ）
３．第３の実施の形態（有機ＥＬ照明）
４．第４の実施の形態（ＬＥＤ照明）
５．適用例（電子機器）
【００１４】
＜１．第１の実施の形態＞
[構成]
図１は、本技術の第１の実施の形態に係る表示装置１の概略構成を表したものである。この表示装置１は、表示パネルモジュール１０と、表示パネルモジュール１０を駆動する駆動回路基板２０と、表示パネルモジュール１０の温度を計測する複数の温度センサ３０とを備えている。なお、図１では、簡易的に、１つの温度センサ３０だけが記載されている。表示パネルモジュール１０は、例えば、表示パネル１１と、表示パネル１１の周囲に設けられた回路（信号線駆動回路１３、走査線駆動回路１４および電源線駆動回路１５）とを有している。
【００１５】
（表示パネル１１）
表示パネル１１は、複数の画素１２が表示パネル１１の表示領域１１Ａ全面に渡って行列状に配置されたものである。表示パネル１１は、駆動回路基板２０によって各画素１２がアクティブマトリクス駆動されることにより、映像信号Ｖｓｉｇ１〜ＶｓｉｇＮに基づく映像を表示領域１１Ａに表示する。映像信号Ｖｓｉｇ１〜ＶｓｉｇＮは、相展開した映像信号である。
【００１６】
表示パネル１１は、行方向に延在する複数の書込線ＷＳＬと、列方向に延在する複数の信号線ＤＴＬと、行方向に延在する複数の電源線ＤＳＬとを有している。信号線ＤＴＬと書込線ＷＳＬとの交差部分に対応して画素１２が設けられている。各信号線ＤＴＬは、信号線駆動回路１３の出力端に接続されている。各書込線ＷＳＬは、走査線駆動回路１４の出力端に接続されている。各電源線ＤＳＬは、電源線駆動回路１５の出力端に接続されている。
【００１７】
図２は、画素１２内の回路構成の一例を表したものである。各画素１２は、例えば、有機ＥＬ素子１６と、画素回路１７とを有している。有機ＥＬ素子１６は、例えば、アノード電極、有機発光層およびカソード電極が順に積層された自発光型の発光素子である。画素回路１７は、例えば、駆動トランジスタＴｒ１、書込トランジスタＴｒ２および保持容量Ｃｓによって構成されたものであり、２Ｔｒ１Ｃの回路構成となっている。書込トランジスタＴｒ２は、駆動トランジスタＴｒ１のゲートに対する信号電圧の印加を制御する。具体的には、書込トランジスタＴｒ２は、信号線ＤＴＬの電圧をサンプリングするとともに駆動トランジスタＴｒ１のゲートに書き込む。駆動トランジスタＴｒ１は、有機ＥＬ素子１６を駆動するものであり、有機ＥＬ素子１６に直列に接続されている。駆動トランジスタＴｒ１は、書込トランジスタＴｒ２によって書き込まれた電圧の大きさに応じて有機ＥＬ素子１６に流れる電流を制御する。保持容量Ｃｓは、駆動トランジスタＴｒ１のゲート−ソース間に所定の電圧を保持する。なお、画素回路１７は、上述の２Ｔｒ１Ｃの回路に対して各種容量やトランジスタを付加した回路構成となっていてもよいし、上述の２Ｔｒ１Ｃの回路構成とは異なる回路構成となっていてもよい。
【００１８】
駆動トランジスタＴｒ１および書込トランジスタＴｒ２は、例えば、ｎチャネルＭＯＳ型の薄膜トランジスタ（ＴＦＴ（Thin Film Transistor））により形成されている。なお、ＴＦＴの種類は特に限定されるものではない。また、駆動トランジスタＴｒ１および書込トランジスタＴｒ２は、ｐチャネルＭＯＳ型のＴＦＴにより形成されていてもよい。
【００１９】
書込トランジスタＴｒ２のゲートは、走査線ＷＳＬに接続されている。書込トランジスタＴｒ２のソースおよびドレインの一方が信号線ＤＴＬに接続され、他方が駆動トランジスタＴｒ１のゲートに接続されている。駆動トランジスタＴｒ１のソースおよびドレインの一方が電源線ＤＳＬに接続され、他方が有機ＥＬ素子１６のアノードに接続されている。保持容量Ｃｓの一端が駆動トランジスタＴｒ１のゲートに接続され、保持容量Ｃｓの他端が駆動トランジスタＴｒ１のソースおよびドレインのうち有機ＥＬ素子１６側の端子に接続されている。
【００２０】
表示パネル１１は、さらに、例えば、図２に示したように、有機ＥＬ素子１６のカソードに接続されたグラウンド線ＧＮＤを有している。グラウンド線ＧＮＤは、グラウンド電位となっている外部回路と電気的に接続されるものである。グラウンド線ＧＮＤは、例えば、表示領域１１Ａ全体に渡って形成されたシート状の電極である。グラウンド線ＧＮＤは、画素行または画素列に対応して短冊状に形成された帯状の電極であってもよい。
【００２１】
各画素１２は、表示パネル１１上の画面を構成する最小単位の点に対応する。表示パネル１１は、カラー表示用のパネルであり、画素１２は、例えば、赤、緑、または青などの単色の光を発するサブピクセルに相当する。例えば、図３Ａに示したように、赤色光を発する画素１２Ｒと、緑色光を発する画素１２Ｇと、青色光を発する画素１２Ｂとによって、１つの表示画素１８が構成されている。このとき、映像信号Ｖｓｉｇ１〜ＶｓｉｇＮは、例えば、赤色光を発する画素１２に対応する映像信号と、緑色光を発する画素１２に対応する映像信号と、青色光を発する画素１２に対応する映像信号とを含んで構成されている。
【００２２】
画素１２は、例えば、赤、緑、青、または白などの単色の光を発するサブピクセルに相当していてもよい。例えば、図３Ｂに示したように、赤色光を発する画素１２Ｒと、緑色光を発する画素１２Ｇと、青色光を発する画素１２Ｂと、白色光を発する画素１２Ｗとによって、１つの表示画素１８が構成されていてもよい。このとき、映像信号Ｖｓｉｇ１〜ＶｓｉｇＮは、上記３色の映像信号の他に、さらに、例えば、白色光を発する画素１２に対応する映像信号も含んで構成されている。また、画素１２は、例えば、赤、緑、青、または黄色などの単色の光を発するサブピクセルに相当していてもよい。このとき、映像信号Ｖｓｉｇ１〜ＶｓｉｇＮは、上記３色の映像信号の他に、さらに、例えば、黄色光を発する画素１２に対応する映像信号も含んで構成されている。
【００２３】
（表示パネル１１の周囲に設けられた回路）
信号線駆動回路１３は、駆動回路基板２０から入力された１水平ライン分のアナログの映像信号Ｖｓｉｇ１〜ＶｓｉｇＮを、各画素１２に信号電圧として供給する。具体的には、信号線駆動回路１３は、１水平ライン分のアナログの映像信号Ｖｓｉｇ１〜ＶｓｉｇＮを、走査線駆動回路１４により選択された１水平ラインを構成する各画素１２に、信号線ＤＴＬを介してそれぞれ供給する。信号線駆動回路１３は、例えば、２種類の電圧（Ｖｏｆｓ、Ｖｓｉｇ（Ｖｓｉｇ１〜ＶｓｉｇＮ））を出力可能である。具体的には、信号線駆動回路１３は、走査線駆動回路１４により選択された画素１２へ、信号線ＤＴＬを介して２種類の電圧（Ｖｏｆｓ、Ｖｓｉｇ（Ｖｓｉｇ１〜ＶｓｉｇＮ））を供給する。Ｖｓｉｇは、外部から入力される映像信号Ｄｉｎに対応する電圧値となっている。Ｖｏｆｓは、映像信号Ｄｉｎとは無関係の一定電圧である。Ｖｓｉｇの最小電圧はＶｏｆｓよりも低い電圧値となっており、Ｖｓｉｇの最大電圧はＶｏｆｓよりも高い電圧値となっている。
【００２４】
走査線駆動回路１４は、駆動回路基板２０から入力されたタイミングパルスＴＰに応じて、駆動対象の画素１２を選択する。具体的には、走査線駆動回路１４は、走査線ＷＳＬを介して、選択パルスを画素１２の画素回路１７に印加することにより、マトリクス状に配置されている複数の画素１２のうちの１行を駆動対象として選択する。そして、これらの画素１２では、信号線駆動回路１３から供給される信号電圧に応じて、１水平ラインの表示がなされる。このようにして、走査線駆動回路１４は、時分割的に１水平ラインずつ順次走査を行い、表示領域１１Ａ全体にわたった表示を表示パネル１１に行わせる。
【００２５】
走査線駆動回路１４は、タイミングパルスＴＰの入力に応じて（同期して）、複数の走査線ＷＳＬを所定のシーケンスで選択することにより、Ｖｔｈ補正や、信号電圧の書き込み、μ補正を所望の順番で実行させるものである。ここで、Ｖｔｈ補正とは、駆動トランジスタＴｒ１のゲート−ソース間電圧Ｖｇｓを駆動トランジスタＴｒ１の閾値電圧に近づける補正動作を指している。信号電圧の書き込み（信号書き込み）とは、駆動トランジスタＴｒ１のゲートに対して、信号電圧を、書込トランジスタＴｒ２を介して書き込む動作を指している。μ補正とは、駆動トランジスタＴｒ１のゲート−ソース間に保持される電圧（ゲート−ソース間電圧Ｖｇｓ）を、駆動トランジスタＴｒ１の移動度μの大きさに応じて補正する動作を指している。信号書き込みと、μ補正とは、互いに別個のタイミングで行われることもある。走査線駆動回路１４は、例えば、１つの選択パルスを、走査線ＷＳＬへ出力することによって、信号書き込みと、μ補正とを同時に行う。
【００２６】
走査線駆動回路１４は、例えば、２種類以上の電圧（例えば、Ｖｏｎ、Ｖｏｆｆ１、Ｖｏｆｆ２）を出力可能である。具体的には、走査線駆動回路１４は、駆動対象の画素１２へ、走査線ＷＳＬを介して２種類以上の電圧（例えば、Ｖｏｎ、Ｖｏｆｆ１、Ｖｏｆｆ２）を供給し、書込トランジスタＴｒ２のオンオフ制御を行う。ここで、Ｖｏｎは、書込トランジスタＴｒ２のオン電圧以上の値となっている。Ｖｏｆｆは、書込トランジスタＴｒ２のオン電圧よりも低い値となっており、かつ、Ｖｏｎよりも低い値となっている。
【００２７】
電源線駆動回路１５は、例えば、タイミングパルスＴＰの入力に応じて（同期して）、複数の電源線ＤＳＬを所定の単位ごとに順次選択する。電源線駆動回路１５は、例えば、２種類以上の電圧（例えば、Ｖｃｃ１、Ｖｃｃ２、Ｖｓｓ）を出力可能である。電源線駆動回路１５は、走査線駆動回路１４により選択された画素１２へ、電源線ＤＳＬを介して２種類以上の電圧（例えば、Ｖｃｃ１、Ｖｃｃ２、Ｖｓｓ）を供給する。ここで、Ｖｓｓは、有機ＥＬ素子１６の閾値電圧Ｖｅｌと、有機ＥＬ素子１６のカソード電圧Ｖｃａｔｈとを足し合わせた電圧（Ｖｅｌ＋Ｖｃａｔｈ）よりも低い電圧値である。Ｖｃｃ１、Ｖｃｃ２は、電圧（Ｖｅｌ＋Ｖｃａｔｈ）以上の電圧値である。
【００２８】
（温度センサ３０）
温度センサ３０は、表示パネル１１の表示領域１１Ａ（具体的には映像表示面１１Ｃ)の表面温度を非接触で計測する。温度センサ３０は、非接触型の放射温度計であり、具体的には、赤外線センサである。図４Ａ、図４Ｂ、図５Ａ、図５Ｂは、各温度センサ３０の配置の一例を表したものである。各温度センサ３０は、表示領域１１Ａの周囲に配置されている。各温度センサ３０は、例えば、図４Ａ、図４Ｂに示したように、表示領域１１Ａを、当該表示領域１１Ａの長手方向（例えば、水平方向）から挟み込む位置に配置されている。各温度センサ３０は、表示領域１１Ａの１つの長辺だけに沿って配置されていてもよい。各温度センサ３０は、例えば、図５Ａ、図５Ｂに示したように、表示領域１１Ａを、当該表示領域１１Ａの短手方向（例えば、垂直方向）から挟み込む位置に配置されていてもよい。各温度センサ３０は、表示領域１１Ａの１つの短辺だけに沿って配置されていてもよい。各温度センサ３０は、例えば、図４Ａ、図５Ａに示したように、表示パネル１１の額縁領域１１Ｂ（表示領域１１Ａの周縁領域）と対向する位置に配置されている。各温度センサ３０は、例えば、図４Ｂ、図５Ｂに示したように、表示パネル１１と非対向の位置に配置されていてもよい。各温度センサ３０が、例えば、表示領域１１Ａを取り囲むように配置されていてもよい。
【００２９】
図６〜図１１は、表示装置１の断面構成の一例を表したものである。図６〜図１１には、表示装置１を、表示装置１の長手方向（例えば、水平方向）、または、表示装置１の短手方向（例えば、垂直方向）に切断したときの断面の一例が示されている。図６〜８には、表示パネル１１が平坦な板形状となっている場合が例示されている。図９〜図１１には、表示パネル１１が表示パネル１１の長手方向および短手方向の少なくとも一方において湾曲した板形状となっている場合が例示されている。
【００３０】
駆動回路基板２０は、例えば、図６〜図１１に示したように、表示パネル１１との位置関係で表示パネル１１の背面（映像表示面１１Ｃとは反対側の面）側に配置されている。表示装置１は、通常、表示パネル１１と駆動回路基板２０との間に断熱材を備えている。なお、上述した断熱材などの他の部材の記載は図面から省略されている。駆動回路基板２０は、例えば、配線２１を介して表示パネル１１と電気的に接続されている。駆動回路基板２０は、さらに、例えば、配線２２を介して各温度センサ３０と電気的に接続されている。
【００３１】
表示装置１は、例えば、図６〜図１１に示したように、表示パネル１１を含む表示パネルモジュール１０や、駆動回路基板２０、各温度センサ３０を収容する筐体７０を備えている。筐体７０の外形は、例えば、直方体形状となっている。なお、筐体７０の外形が、表示パネル１１の湾曲に対応した湾曲形状となっていてもよい。筐体７０は、放熱性の良好な材料（例えば、金属）で形成されていることが好ましい。筐体７０の全体または一部が、樹脂などの材料で形成されていてもよい。筐体７０は、表示領域１１Ａと対向する位置に開口を有しており、その開口の周縁に環状の額縁部７０Ａを有している。各温度センサ３０は、額縁部７０Ａと対向する位置に配置されており、かつ、表示パネル１１との位置関係では、表示パネル１１の映像表示面１１Ｃ側（つまり、筐体７０における上記開口側）に位置している。
【００３２】
例えば、図６、図７、図９、図１０に示したように、表示パネル１１と、額縁部７０Ａとの間には、空隙が存在している。各温度センサ３０は、例えば、その空隙に配置されており、固定部３１を介して額縁部７０Ａの裏面または表示パネル１１の額縁領域１１Ｂに固定されている。なお、固定部３１は、本技術の「第１固定部」の一具体例に相当する。固定部３１は、例えば、温度センサ３０を額縁部７０Ａまたは額縁領域１１Ｂに機械的に固定する機械部品であってもよいし、粘着剤もしくは接着剤であってもよい。
【００３３】
各温度センサ３０は、例えば、図８、図１１に示したように、額縁部７０Ａの上面に固定されていてもよい。この場合、筐体７０は、各温度センサ３０を覆うカバー部７１を有していてもよい。筐体７０がカバー部７１を有している場合には、カバー部７１が額縁部７０Ａに対して着脱可能に固定されていることが好ましい。このようにした場合で、各温度センサ３０が固定部３１を介してカバー部７１の内面に固定されているときには、カバー部７１を額縁部７０Ａに固定する作業を行うだけで、各温度センサ３０の設置も併せて行うことができる。なお、固定部３１は、本技術の「第２固定部」の一具体例に相当する。
【００３４】
各温度センサ３０の計測範囲は、表示領域１１Ａの一部の領域であり、表示領域１１Ａ内の複数の画素１２を含む領域である。各温度センサ３０の計測範囲は、他の温度センサ３０の計測範囲と重なっていなくてもよいし、他の温度センサ３０の計測範囲の一部と重なっていてもよい。各温度センサ３０によって計測され得る領域の合計が、表示領域１１Ａ全体と対応していてもよいし、表示領域１１Ａの一部の領域とだけ対応していてもよい。  各温度センサ３０の光軸ＡＸ２は、表示パネル１１の中央部分の表面の法線ＡＸ１と斜めに交差している。光軸ＡＸ２は、法線ＡＸ１と直交する平面に対して下方（つまり伏角の方向）を向いている。
【００３５】
（駆動回路基板２０）
駆動回路基板２０は、表示パネルモジュール（具体的には各画素１２）を駆動する。駆動回路基板２０は、外部から入力された映像信号Ｄｉｎおよび同期信号Ｔｉｎに基づいて、映像信号Ｖｓｉｇ１〜ＶｓｉｇＮおよびタイミングパルスＴＰを生成し、表示パネルモジュール１０に出力する。駆動回路基板２０は、さらに、温度センサ３０の出力（温度信号ＤＴ）に応じて、映像信号Ｄｉｎ（またはそれに対応する信号）を補正する。なお、映像信号Ｄｉｎは、本技術の「第１発光制御データ」の一具体例に相当する。
【００３６】
図１２は、駆動回路基板２０の概略構成の一例を表したものである。駆動回路基板２０は、例えば、信号処理回路４０、タイミング生成回路５０およびドライバ６０を有している。
【００３７】
（信号処理回路４０）
信号処理回路４０は、映像信号Ｄｉｎから、表示パネル１１用の映像信号ＤＡを生成する。映像信号Ｄｉｎは、デジタルの映像信号であり、例えば、所定のγ補正のなされたものである。ここで、所定のγ補正とは、所定の表示装置（旧来はブラウン管テレビジョン）に映像信号Ｄｉｎを入力したときに、映像信号Ｄｉｎと、所定の表示装置の輝度との関係がリニアになるように補正することを指している。
【００３８】
信号処理回路４０は、映像信号Ｄｉｎに対して所定の補正を行い、補正後の映像信号を、映像信号ＤＡとして、ドライバ６０に出力する。信号処理回路４０は、さらに、同期信号Ｔｉｎに含まれている水平同期信号および垂直同期信号に基づくタイミングで、映像信号ＤＡをドライバ６０に出力する。ここで、所定の補正としては、例えば、リニアγ補正（または逆γ補正）や、γ補正、輝度補正などが挙げられる。なお、所定の補正には、上記以外の補正が含まれていてもよい。ここで、リニアγ補正（または逆γ補正）とは、映像信号Ｄｉｎのガンマ補正をキャンセルすることによりリニアなガンマ特性の映像信号を生成することを指している。γ補正とは、特性がガンマ値に応じた最適のカーブとなるように映像信号の階調を補正することを指している。なお、輝度補正については、後に詳述する。
【００３９】
図１３は、信号処理回路４０の内部構成の一例を表したものである。信号処理回路４０は、例えば、正規化回路４１、輝度補正回路４２および階調化回路４３を有している。
【００４０】
正規化回路４１は、例えば、映像信号Ｄｉｎまたはそれに対応する映像信号を正規化するものであり、映像信号Ｄｉｎまたはそれに対応する映像信号を正規化することにより得られた映像信号Ｄｉｎ１を出力する。階調化回路４３は、輝度補正回路４２の出力信号（映像信号Ｄｉｎ２）に対して、後段のＤ／Ａ変換回路６２（後述）に適した階調情報を付与するものであり、輝度補正回路４２の出力信号（映像信号Ｄｉｎ２）に対して所定の演算を行うことにより得られた映像信号ＤＡを出力する。
【００４１】
輝度補正回路４２は、温度センサ３０の出力（温度信号ＤＴ）に基づいて、映像信号Ｄｉｎ１を補正する。これにより、輝度補正回路４２は、温度センサ３０の出力（温度信号ＤＴ）に基づいて補正された映像信号Ｄｉｎ２を生成する。輝度補正回路４２は、このような映像信号Ｄｉｎ１に対する補正（以下、「輝度補正」と称する。）を、表示領域１１Ａの全体または一部の領域に対して行う。輝度補正回路４２は、各温度センサ３０からの出力（温度信号ＤＴ）が所定の範囲内となっているか否かを判定する。その結果、全体または一部の温度センサ３０において、出力（温度信号ＤＴ）が所定の範囲外となっている場合には、輝度補正回路４２は、各温度センサ３０からの出力（温度信号ＤＴ）が所定の範囲内となるように、映像信号Ｄｉｎ１を温度センサ３０の出力に応じて補正する。つまり、輝度補正回路４２は、表示領域１１Ａ（映像表示面１１Ｃ）の表面温度が所定の範囲内となるように、映像信号Ｄｉｎ１を補正する。輝度補正回路４２は、映像信号Ｄｉｎ１に対する補正として、例えば、映像信号Ｄｉｎ１に対して補正係数をかける。補正係数は、例えば、０より大きく、１以下の整数である。なお、補正係数の範囲は、対象となる映像信号の色に応じて異なっていてもよい。例えば、対象となる映像信号の色が白色である場合、補正係数として、１よりも大きな整数が選択され得るようになっていてもよい。
【００４２】
輝度補正回路４２が輝度補正を表示領域１１Ａの一部の領域に対して行う場合、輝度補正回路４２は、例えば、図１４に示したように、表示領域１１Ａを複数の部分領域に細分化する。そして、輝度補正回路４２は、表示領域１１Ａを細分化した部分領域ごとに、各温度センサ３０からの出力（温度信号ＤＴ）が所定の範囲内もしくは所定の閾値以下となっているか否かを判定する。その結果、複数の部分領域のうちの一部の部分領域である特定領域において、センサ出力（温度信号ＤＴ）が所定の範囲外となっている場合には、輝度補正回路４２は、特定領域において温度センサ３０の出力が所定の範囲内となるように、その特定領域に対応する映像信号Ｄｉｎ１を、センサ出力（温度信号ＤＴ）に応じて補正する。これにより、センサ出力（温度信号ＤＴ）が所定の範囲内もしくは所定の閾値以下となっている領域に対応する映像信号Ｄｉｎ１に対してまで、輝度補正を行うことがなくなる。
【００４３】
ただし、図１５Ａに示したように、特定領域（例えば領域５）に対応する映像信号Ｄｉｎ１に対してだけ、小さな補正係数（例えば０．７）がかけられる場合には、その特定領域の発光輝度と、その特定領域に隣接する他の領域（例えば領域４，６）の発光輝度との間に大きな差異が生じ得る。その結果、表示映像に境界が発生してしまう可能性がある。そこで、輝度補正回路４２は、映像信号Ｄｉｎ１に対して、境界をぼやかす処理を行う。輝度補正回路４２は、例えば、図１５Ｂに示したように、センサ出力（温度信号ＤＴ）が所定の範囲外となった特定領域（例えば領域５）の外縁に対応する映像信号Ｄｉｎ１と、その特定領域に隣接する全ての部分領域（例えば領域１〜４，６〜９）のうち、特定領域（例えば領域５）に近接する領域に対応する映像信号Ｄｉｎ１とに対して、映像に輝度の境界が生じないように、輝度の境界をぼやかす補正を行う。このように、境界をぼやかす処理を行うことにより、表示映像における輝度の変化が滑らかとなり、表示品質の劣化が抑制される。
【００４４】
以下で、信号処理回路４０以外の構成（タイミング生成回路５０、ドライバ６０）について説明する。
【００４５】
（タイミング生成回路５０）
タイミング生成回路５０は、同期信号Ｔｉｎに含まれている水平同期信号および垂直同期信号に基づいてタイミングパルスＴＰを生成する。タイミングパルスＴＰは、表示パネル１１駆動用のタイミングパルスであって、かつ、水平、垂直の書き込み転送を制御するためのものである。タイミング生成回路５０は、生成したタイミングパルスＴＰを所定のタイミングで表示パネル１１に出力する。タイミング生成回路５０は、タイミングパルスＴＰとして、例えば、水平走査の開始を指令する水平スタートパルス、水平走査の基準となる水平クロック、垂直走査の開始を指令する垂直スタートパルス、垂直走査の基準となる垂直クロックを生成する。タイミング生成回路５０は、さらに、ドライバ６０用のクロックＣＬＫを生成し、ドライバ６０に出力する。
【００４６】
（ドライバ６０）
図１６は、ドライバ６０の概略構成の一例を表したものである。ドライバ６０は、例えば、サンプル・ホールド回路６１、Ｄ／Ａ変換回路６２、およびドライバ回路６３を有している。サンプル・ホールド回路６１は、シリアルデジタルの映像信号ＤＡに対して並列化処理を行い、複数並列の映像信号に展開するようになっている。サンプル・ホールド回路６１は、相展開した映像信号を、タイミング生成回路４０からのクロックＣＬＫに基づいたタイミングで、Ｄ／Ａ変換回路６２に出力する。Ｄ／Ａ変換回路６２は、サンプル・ホールド回路６１から入力された映像信号（相展開した映像信号）をアナログ信号化して、ドライバ回路６３に出力する。Ｄ／Ａ変換回路６２がドライバ回路６３に出力する電圧の範囲が、表示パネル１１の有効電圧範囲に対応する。つまり、Ｄ／Ａ変換回路６２が表示パネル１１の有効電圧範囲を規定している。ドライバ回路６３は、タイミング生成回路４０から出力されたクロックＣＬＫに基づく所定のタイミングで、映像信号Ｖｓｉｇ１〜ＶｓｉｇＮを表示パネル１１に印加する。なお、映像信号Ｖｓｉｇ１〜ＶｓｉｇＮが、輝度補正回路４２によって補正された映像信号Ｄｉｎ２から得られたものである場合、映像信号Ｖｓｉｇ１〜ＶｓｉｇＮは、本技術の「第２発光制御データ」の一具体例に相当する。
【００４７】
[動作] 
次に、表示装置１の動作（特に信号処理回路４０の動作）について説明する。
【００４８】
映像信号Ｄｉｎが外部から入力されると、正規化回路４１によって正規化され、正規化後の映像信号Ｄｉｎ１が輝度補正回路４２に出力される。映像信号Ｄｉｎ１は、温度センサ３０からの出力（温度信号ＤＴ）が所定の範囲内もしくは所定の閾値以下となるように、輝度補正回路４２によって補正され、必要に応じて、境界をぼやかす処理が行われる。補正後の映像信号Ｄｉｎ２は、階調化回路４３に出力される。映像信号Ｄｉｎ２は、階調化回路４３によって、Ｄ／Ａ変換回路６２に適した階調情報に変換され、映像信号ＤＡとして、ドライバ６０に出力される。映像信号ＤＡは、ドライバ６０によって相展開され、相展開後の映像信号Ｖｓｉｇ１〜ＶｓｉｇＮが表示パネル１１に印加される。その結果、有機ＥＬ素子１６の温度が制御された映像表示が行われる。
【００４９】
次に、表示装置１の動作（消光から発光までの動作）について説明する。
【００５０】
本実施の形態では、有機ＥＬ素子１６のＩ−Ｖ特性が経時変化しても、その影響を受けることなく、有機ＥＬ素子１６の発光輝度を一定に保つようにするために、有機ＥＬ素子１６のＩ−Ｖ特性の変動に対する補償動作が組み込まれている。さらに、本実施の形態では、駆動トランジスタＴｒ１の閾値電圧や移動度が経時変化しても、それらの影響を受けることなく、有機ＥＬ素子１６の発光輝度を一定に保つようにするために、上記閾値電圧や上記移動度の変動に対する補正動作を組み込んでいる。
【００５１】
図１７は、１つの画素１２に着目したときの走査線ＷＳＬ、電源線ＤＳＬおよび信号線ＤＴＬに印加される電圧、ゲート電圧Ｖｇ、およびソース電圧Ｖｓの経時変化の一例を表したものである。
【００５２】
（Ｖｔｈ補正準備期間）
まず、駆動トランジスタＴｒ１のゲート−ソース間電圧Ｖｇｓを駆動トランジスタＴｒ１の閾値電圧に近づけるＶｔｈ補正の準備が行われる。具体的には、走査線ＷＳＬの電圧がＶｏｆｆ、信号線ＤＴＬの電圧がＶｏｆｓ、電源線ＤＳＬの電圧がＶｃｃとなっている時に、電源線ＤＳＬの電圧がＶｃｃからＶｓｓに下がる（時刻Ｔ１）。つまり、有機ＥＬ素子１６が発光している時に、電源線ＤＳＬの電圧がＶｃｃからＶｓｓに下がる。すると、ソース電圧ＶｓがＶｓｓまで下がり、有機ＥＬ素子１６が消光する。このとき、保持容量Ｃｓを介したカップリングによりゲート電圧Ｖｇも下がる。
【００５３】
次に、電源線ＤＳＬの電圧がＶｓｓとなっており、かつ信号線ＤＴＬの電圧がＶｏｆｓとなっている間に、走査線ＷＳＬの電圧がＶｏｆｆからＶｏｎに上がる（時刻Ｔ２）。すると、ゲート電圧ＶｇがＶｏｆｓまで下がる。このとき、ゲート−ソース間電圧Ｖｇｓが駆動トランジスタＴｒ１の閾値電圧よりも小さくなっていてもよいし、それと等しいか、またはそれよりも大きくなっていてもよい。
【００５４】
（Ｖｔｈ補正期間）
次に、Ｖｔｈの補正が行われる。具体的には、信号線ＤＴＬの電圧がＶｏｆｓとなっており、かつ、走査線ＷＳＬの電圧がＶｏｎとなっている間に、電源線ＤＳＬの電圧がＶｓｓからＶｃｃに上がる（時刻Ｔ３）。すると、駆動トランジスタＴｒ１のドレイン−ソース間に電流Ｉｄｓが流れ、ソース電圧Ｖｓが上昇する。このとき、ソース電圧ＶｓがＶｏｆｓ−Ｖｔｈよりも低い場合には、駆動トランジスタＴｒ１がカットオフするまで、駆動トランジスタＴｒ１のドレイン−ソース間に電流Ｉｄｓが流れる。つまり、Ｖｔｈ補正がまだ完了していない場合には、ゲート−ソース間電圧ＶｇｓがＶｔｈになるまで、駆動トランジスタＴｒ１のドレイン−ソース間に電流Ｉｄｓが流れる。これにより、ゲート電圧ＶｇがＶｏｆｓとなり、ソース電圧Ｖｓが上昇し、その結果、保持容量ＣｓがＶｔｈに充電され、ゲート−ソース間電圧ＶｇｓがＶｔｈとなる。
【００５５】
その後、信号線ＤＴＬの電圧がＶｏｆｓからＶｓｉｇに切り替わる前に、走査線ＷＳＬの電圧がＶｏｎからＶｏｆｆに下がる（時刻Ｔ４）。すると、駆動トランジスタＴｒ１のゲートがフローティングとなるので、ゲート−ソース間電圧Ｖｇｓを信号線ＤＴＬの電圧の大きさに拘わらずＶｔｈのままで維持することができる。このように、ゲート−ソース間電圧ＶｇｓをＶｔｈに設定することにより、駆動トランジスタＴｒ１の閾値電圧Ｖｔｈが画素回路１７ごとにばらついた場合であっても、有機ＥＬ素子１６の発光輝度のばらつきをなくすことができる。
【００５６】
（Ｖｔｈ補正休止期間）
その後、Ｖｔｈ補正の休止期間中に、信号線ＤＴＬの電圧がＶｏｆｓからＶｓｉｇに切り替わる。
【００５７】
（信号書込・μ補正期間）
Ｖｔｈ補正休止期間が終了した後（つまりＶｔｈ補正が完了した後）、映像信号Ｖｓｉｇ１〜ＶｓｉｇＮに応じた信号電圧の書き込みと、μ補正を行う。具体的には、信号線ＤＴＬの電圧がＶｓｉｇとなっており、かつ電源線ＤＳＬの電圧がＶｃｃとなっている間に、走査線ＷＳＬの電圧がＶｏｆｆからＶｏｎに上がる（時刻Ｔ５）。すると、駆動トランジスタＴｒ１のゲートが信号線ＤＴＬに接続され、駆動トランジスタＴｒ１のゲート電圧Ｖｇが信号線ＤＴＬの電圧Ｖｓｉｇとなる。このとき、有機ＥＬ素子１６のアノード電圧はこの段階ではまだ有機ＥＬ素子１６の閾値電圧Ｖｅｌよりも小さく、有機ＥＬ素子１６はカットオフしている。そのため、電流Ｉｄｓは有機ＥＬ素子１６の素子容量Ｃｏｌｅｄおよび補助容量Ｃｓｕｂに流れ、素子容量Ｃｏｌｅｄおよび補助容量Ｃｓｕｂが充電される。その結果、ソース電圧ＶｓがΔＶｓだけ上昇し、やがてゲート−ソース間電圧ＶｇｓがＶｓｉｇ＋Ｖｔｈ−ΔＶｓとなる。このようにして、書き込みと同時にμ補正が行われる。ここで、駆動トランジスタＴｒ１の移動度が大きい程、ΔＶｓも大きくなるので、ゲートソース間電圧Ｖｇｓを発光前にΔＶだけ小さくすることにより、画素１２ごとの移動度のばらつきを取り除くことができる。
【００５８】
（発光期間）
最後に、走査線ＷＳＬの電圧がＶｏｎからＶｏｆｆに下がる（時刻Ｔ６）。すると、駆動トランジスタＴｒ１のドレイン−ソース間に電流Ｉｄｓが流れ、ソース電圧Ｖｓが上昇する。その結果、有機ＥＬ素子１６に閾値電圧Ｖｅｌ以上の電圧が印加され、有機ＥＬ素子１６が所望の輝度で発光する。なお、発光を開始する前に、発光開始時間を調整する待機期間を設けてもよい。その場合には、例えば、走査線ＷＳＬの電圧がＶｏｎからＶｏｆｆに下がるときに、電源線ＤＳＬの電圧をＶｃｃからＶｓｓに下げておき、発光させるタイミングになったら、電源線ＤＳＬの電圧をＶｓｓからＶｃｃに変えればよい。
【００５９】
[効果] 
次に、本実施の形態の表示装置１における効果について説明する。
【００６０】
本実施の形態では、各温度センサ３０によって、非接触で表示領域１１Ａ（映像表示面１１Ｃ）の表面温度が計測される。さらに、映像信号Ｄｉｎ１を温度センサ３０の出力に応じて補正することにより得られた映像信号Ｖｓｉｇ１〜ＶｓｉｇＮに基づいて、各画素１２が駆動される。このように、本実施の形態では、画素１２に近い位置にある表示領域１１Ａの表面温度が計測されるので、計測値として、実際の画素温度に近い温度に対応した値が得られる。従って、より実態に即した温度データを用いて映像信号Ｄｉｎ１を補正することができる。
【００６１】
また、本実施の形態では、各温度センサ３０によって計測される表示領域１１Ａ（映像表示面１１Ｃ）の表面温度は、各画素１２内の有機ＥＬ素子１６の実際の温度と非常に近い値である。そのため、駆動回路基板に温度センサを設けたり、ダミー画素を設けたりする従来の手法で行われていた温度推定を行う必要がない。また、仮に、本実施の形態において、温度推定を行った場合であっても、各温度センサ３０によって計測される表示領域１１Ａ（映像表示面１１Ｃ）の表面温度が、各画素１２内の有機ＥＬ素子１６の実際の温度と非常に近い値であるので、温度推定による誤差は極めて小さい。従って、高精度に、各画素１２内の有機ＥＬ素子１６の温度制御を行うことができる。
【００６２】
また、本実施の形態では、各温度センサ３０からの出力（温度信号ＤＴ）が所定の範囲内となるように、映像信号Ｄｉｎ１の補正がなされる。これにより、表示領域１１Ａ（映像表示面１１Ｃ）の表面温度が所定の範囲内となるので、各画素１２内の有機ＥＬ素子１６の劣化の進行を抑制することができる。
【００６３】
また、本実施の形態において、輝度補正が表示領域１１Ａの一部の領域に対してだけ行われるようにした場合には、センサ出力（温度信号ＤＴ）が所定の範囲内もしくは所定の閾値以下となっている領域に対応する映像信号Ｄｉｎ１に対してまで、輝度補正を行うことがなくなる。その結果、表示映像の輝度の低下を最小限に抑えることができる。また、本実施の形態において、このような輝度補正を行う場合に、センサ出力（温度信号ＤＴ）が所定の範囲外となった特定領域に対応する映像信号Ｄｉｎ１と、その特定領域に隣接する全ての部分領域に対応する映像信号Ｄｉｎ１とに対して、上述したような境界をぼやかす補正を行うことにより、表示品質の劣化を抑えつつ、各画素１２内の有機ＥＬ素子１６の温度制御を行うことができる。
【００６４】
＜２．第２の実施の形態＞
[構成]
図１８は、本技術の第２の実施の形態に係る表示装置２の概略構成を表したものである。この表示装置２は、表示パネルモジュール８０を備えている点で、表示パネルモジュール１０を備えた表示装置１の構成と相違する。以下では、上記実施の形態との相違点について主に説明し、上記実施の形態との共通点についての説明は適宜、省略するものとする。
【００６５】
表示パネルモジュール８０は、例えば、表示パネル８１と、表示パネル８１の周囲に設けられた回路（信号線駆動回路８３および走査線駆動回路８４）とを有している。
【００６６】
（表示パネル８１）
表示パネル８１は、複数の画素８２が表示パネル８１の表示領域８１Ａ全面に渡って行列状に配置されたものである。表示パネル８１は、駆動回路基板２０によって各画素８２がアクティブマトリクス駆動されることにより、表示信号に基づく表示光を表示領域８１Ａから発する。
【００６７】
表示パネル８１は、行方向に延在する複数の書込線ＷＳＬと、列方向に延在する複数の信号線ＤＴＬとを有している。信号線ＤＴＬと書込線ＷＳＬとの交差部分に対応して画素８２が設けられている。各信号線ＤＴＬは、信号線駆動回路８３の出力端に接続されている。各書込線ＷＳＬは、走査線駆動回路８４の出力端に接続されている。
【００６８】
図１９は、画素８２内の回路構成の一例を表したものである。各画素８２は、例えば、発光ダイオード８５と、スイッチングトランジスタＴｒ３とを有している。発光ダイオード８５は、例えば、ＰＩＮ構造の半導体が一対の電極で挟み込まれた自発光型の発光素子である。スイッチングトランジスタＴｒ３は、信号線ＤＴＬの電圧をサンプリングするとともに発光ダイオード８５の一方の電極に書き込む。
【００６９】
スイッチングトランジスタＴｒ３のゲートは、走査線ＷＳＬに接続されている。スイッチングトランジスタＴｒ３のソースおよびドレインの一方が信号線ＤＴＬに接続され、他方が発光ダイオード８５の一方の電極に接続されている。表示パネル８１は、さらに、例えば、図１９に示したように、発光ダイオード８５の他方の電極に接続されたグラウンド線ＧＮＤを有している。グラウンド線ＧＮＤは、グラウンド電位となっている外部回路と電気的に接続されるものである。
【００７０】
各画素８２は、表示パネル８１上の画面を構成する最小単位の点に対応する。表示パネル８１は、例えば、カラー表示用のパネルであり、画素８２は、例えば、赤、緑、または青などの単色の光を発するサブピクセルに相当する。例えば、赤色光を発する画素８２と、緑色光を発する画素８２と、青色光を発する画素８２とによって、１つの表示画素が構成されている。このとき、表示信号は、例えば、赤色光を発する画素８２に対応する表示信号と、緑色光を発する画素８２に対応する表示信号と、青色光を発する画素８２に対応する表示信号とを含んで構成されている。
【００７１】
画素８２は、例えば、赤、緑、青、または白などの単色の光を発するサブピクセルに相当していてもよい。例えば、赤色光を発する画素８２と、緑色光を発する画素８２と、青色光を発する画素８２と、白色光を発する画素８２とによって、１つの表示画素が構成されていてもよい。このとき、表示信号は、上記３色の表示信号の他に、さらに、例えば、白色光を発する画素８２に対応する表示信号も含んで構成されている。また、画素８２は、例えば、赤、緑、青、または黄色などの単色の光を発するサブピクセルに相当していてもよい。このとき、表示信号は、上記３色の表示信号の他に、さらに、例えば、黄色光を発する画素８２に対応する表示信号も含んで構成されている。
【００７２】
（表示パネル８１の周囲に設けられた回路）
信号線駆動回路８３は、駆動回路基板２０から入力された１水平ライン分のアナログの表示信号を、各画素８２に信号電圧として供給する。具体的には、信号線駆動回路８３は、１水平ライン分のアナログの表示信号を、走査線駆動回路８４により選択された１水平ラインを構成する各画素８２に、信号線ＤＴＬを介してそれぞれ供給する。
【００７３】
走査線駆動回路８４は、駆動回路基板２０から入力されたタイミングパルスＴＰに応じて、駆動対象の画素８２を選択する。具体的には、走査線駆動回路８４は、走査線ＷＳＬを介して、選択パルスを画素８２のスイッチングトランジスタＴｒ３に印加することにより、マトリクス状に配置されている複数の画素８２のうちの１行を駆動対象として選択する。そして、これらの画素８２では、信号線駆動回路８３から供給される信号電圧に応じて、１水平ラインの発光がなされる。このようにして、走査線駆動回路８４は、時分割的に１水平ラインずつ順次走査を行い、表示領域８１Ａ全体にわたった発光を表示パネル８１に行わせる。
【００７４】
走査線駆動回路８４は、タイミングパルスＴＰの入力に応じて（同期して）、複数の走査線ＷＳＬを所定のシーケンスで選択することにより、信号電圧の書き込みを所望の順番で実行させるものである。信号電圧の書き込み（信号書き込み）とは、発光ダイオード８５に対して、信号電圧を、スイッチングトランジスタＴｒ３を介して書き込む動作を指している。
【００７５】
（温度センサ３０）
温度センサ３０は、表示パネル８１の表示領域８１Ａの表面温度を非接触で計測する。各温度センサ３０は、上記実施の形態と同様、表示領域８１Ａの周囲に配置されている（図４Ａ、図４Ｂ、図５Ａ、図５Ｂ参照）。各温度センサ３０は、例えば、表示領域８１Ａを、当該表示領域８１Ａの長手方向から挟み込む位置に配置されている。各温度センサ３０は、表示領域８１Ａの１つの長辺だけに沿って配置されていてもよい。各温度センサ３０は、例えば、表示領域８１Ａを、当該表示領域８１Ａの短手方向から挟み込む位置に配置されていてもよい。各温度センサ３０は、表示領域８１Ａの１つの短辺だけに沿って配置されていてもよい。各温度センサ３０は、例えば、表示パネル８１の額縁領域８１Ｂ（表示領域８１Ａの周縁領域）と対向する位置に配置されている。各温度センサ３０は、例えば、表示パネル８１と非対向の位置に配置されていてもよい。各温度センサ３０が、例えば、表示領域８１Ａを取り囲むように配置されていてもよい。
【００７６】
駆動回路基板２０は、例えば、表示パネル８１との位置関係で表示パネル８１の背面側に配置されている。表示装置２は、通常、表示パネル８１と駆動回路基板２０との間に断熱材を備えている。駆動回路基板２０は、例えば、配線を介して表示パネル８１と電気的に接続されている。駆動回路基板２０は、さらに、例えば、配線を介して各温度センサ３０と電気的に接続されている。
【００７７】
表示装置２は、例えば、表示パネル８１を含む表示パネルモジュール８０や、駆動回路基板２０、各温度センサ３０を収容する筐体を備えている。筐体の外形は、例えば、直方体形状となっている。なお、筐体の外形が、表示パネル８１の湾曲に対応した湾曲形状となっていてもよい。筐体は、放熱性の良好な材料（例えば、金属）で形成されていることが好ましい。筐体の全体または一部が、樹脂などの材料で形成されていてもよい。筐体は、表示領域８１Ａと対向する位置に開口を有しており、その開口の周縁に環状の額縁部を有している。各温度センサ３０は、その額縁部と対向する位置に配置されており、かつ、表示パネル８１との位置関係では、表示パネル８１において表示光が発せられる面側（つまり、筐体における上記開口側）に位置している。
【００７８】
例えば、表示パネル８１と、額縁部との間には、空隙が設けられている。各温度センサ３０は、例えば、その空隙に配置されており、固定部を介して額縁部の裏面または表示パネル８１の額縁領域８１Ｂに固定されている。固定部は、例えば、温度センサ３０を額縁部または額縁領域８１Ｂに機械的に固定する機械部品であってもよいし、粘着剤もしくは接着剤であってもよい。
【００７９】
各温度センサ３０は、例えば、額縁部の上面に固定されていてもよい。この場合、筐体は、各温度センサ３０を覆うカバー部を有していてもよい。筐体がカバー部を有している場合には、カバー部が額縁部に対して着脱可能に固定されていることが好ましい。このようにした場合で、各温度センサ３０が固定部を介してカバー部の内面に固定されているときには、カバー部を額縁部に固定する作業を行うだけで、各温度センサ３０の設置も併せて行うことができる。
【００８０】
各温度センサ３０の計測範囲は、表示領域８１Ａの一部の領域であり、表示領域８１Ａ内の複数の画素８２を含む領域である。各温度センサ３０の計測範囲は、他の温度センサ３０の計測範囲と重なっていなくてもよいし、他の温度センサ３０の計測範囲の一部と重なっていてもよい。各温度センサ３０によって計測され得る領域の合計が、表示領域８１Ａ全体と対応していてもよいし、表示領域８１Ａの一部の領域とだけ対応していてもよい。  各温度センサ３０の光軸は、表示パネル８１の中央部分の表面の法線と斜めに交差している。各温度センサ３０の光軸は、表示パネル８１の中央部分の表面の法線と直交する平面に対して下方（つまり伏角の方向）を向いている。
【００８１】
（駆動回路基板２０）
駆動回路基板２０の機能および動作は、上記実施の形態の駆動回路基板２０の機能および動作と同様である。
【００８２】
[効果] 
次に、本実施の形態の表示装置２における効果について説明する。
【００８３】
本実施の形態では、各温度センサ３０によって、非接触で表示領域８１Ａの表面温度が計測される。さらに、各温度センサ３０からの出力（温度信号ＤＴ）が所定の範囲内となるように、映像信号（上記実施の形態の映像信号Ｄｉｎ１に対応する信号）の補正がなされる。これにより、表示領域８１Ａの表面温度が所定の範囲内となるので、各画素８２内の発光ダイオード８５の劣化の進行を抑制することができる。
【００８４】
また、本実施の形態では、各温度センサ３０によって計測される表示領域８１Ａの表面温度は、各画素８２内の発光ダイオード８５の実際の温度と非常に近い値である。そのため、駆動回路基板に温度センサを設けたり、ダミー画素を設けたりする従来の手法で行われていた温度推定を行う必要がない。また、仮に、本実施の形態において、温度推定を行った場合であっても、各温度センサ３０によって計測される表示領域８１Ａの表面温度が、各画素８２内の発光ダイオード８５の実際の温度と非常に近い値であるので、温度推定による誤差は極めて小さい。従って、高精度に、各画素８２内の発光ダイオード８５の温度制御を行うことができる。
【００８５】
また、本実施の形態では、筐体内に複数の温度センサ３０を設けることで、各画素８２内の発光ダイオード８５の温度制御を行うことができる。従って、簡易な構成で、各画素８２内の発光ダイオード８５の温度制御を行うことができる。
【００８６】
また、本実施の形態において、輝度補正が表示領域８１Ａの一部の領域に対してだけ行われるようにした場合には、センサ出力（温度信号ＤＴ）が所定の範囲内となっている領域に対応する映像信号Ｄｉｎ１に対してまで、輝度補正を行うことがなくなる。その結果、表示輝度の低下を最小限に抑えることができる。また、本実施の形態において、このような輝度補正を行う場合に、センサ出力（温度信号ＤＴ）が所定の範囲外となった領域と、その領域に隣接する全ての領域とに対応する補正係数に対して、上述したような境界をぼやかす処理を行うことにより、表示品質の劣化を抑えつつ、各画素８２内の発光ダイオード８５の温度制御を行うことができる。
【００８７】
＜３．第３の実施の形態＞
図２０は、本技術の第３の実施の形態に係る照明装置３の概略構成を表したものである。この照明装置３は、上記実施の形態の表示装置１と同様の構成を備えており、表示領域１１Ａに映像を表示する代わりに、表示領域１１Ａから照明光を出力させるようにしたものである。従って、本実施の形態でも、上記実施の形態の表示装置１と同様の効果が得られる。なお、本実施の形態において、第１の実施の形態における表示領域１１Ａが照明領域となり、第１の実施の形態における表示パネル１１が照明パネルとして機能する。また、本実施の形態において、第１の実施の形態における映像信号が照明信号となる。
【００８８】
＜４．第４の実施の形態＞
図２１は、本技術の第４の実施の形態に係る照明装置４の概略構成を表したものである。この照明装置４は、上記実施の形態の表示装置２と同様の構成を備えており、表示領域８１Ａに映像を表示する代わりに、表示領域８１Ａから照明光を出力させるようにしたものである。従って、本実施の形態でも、上記実施の形態の表示装置２と同様の効果が得られる。なお、本実施の形態において、第２の実施の形態における表示領域８１Ａが照明領域となり、第２の実施の形態における表示パネル８１が照明パネルとして機能する。また、本実施の形態において、第２の実施の形態における映像信号が照明信号となる。
【００８９】
＜５．適用例＞
以下、上記第１および第２の実施の形態で説明した表示装置１，２の適用例について説明する。表示装置１，２は、テレビジョン装置、デジタルカメラ、ノート型パーソナルコンピュータ、携帯電話等の携帯端末装置あるいはビデオカメラなど、外部から入力された映像信号あるいは内部で生成した映像信号を、画像あるいは映像として表示するあらゆる分野の電子機器の表示装置に適用することが可能である。
【００９０】
（適用例１）
図２２は、表示装置１，２が適用されるテレビジョン装置の外観を表したものである。このテレビジョン装置は、例えば、フロントパネル３１０およびフィルターガラス３２０を含む映像表示画面部３００を有しており、この映像表示画面部３００は、表示装置１，２により構成されている。
【００９１】
（適用例２）
図２３Ａ、図２３Ｂは、表示装置１，２が適用されるデジタルカメラの外観を表したものである。このデジタルカメラは、例えば、フラッシュ用の発光部４１０、表示部４２０、メニュースイッチ４３０およびシャッターボタン４４０を有しており、その表示部４２０は、表示装置１，２により構成されている。
【００９２】
（適用例３）
図２４は、表示装置１，２が適用されるノート型パーソナルコンピュータの外観を表したものである。このノート型パーソナルコンピュータは、例えば、本体５１０，文字等の入力操作のためのキーボード５２０および画像を表示する表示部５３０を有しており、その表示部５３０は、表示装置１，２により構成されている。
【００９３】
（適用例４）
図２５は、表示装置１，２が適用されるビデオカメラの外観を表したものである。このビデオカメラは、例えば、本体部６１０，この本体部６１０の前方側面に設けられた被写体撮影用のレンズ６２０，撮影時のスタート／ストップスイッチ６３０および表示部６４０を有しており、その表示部６４０は、表示装置１，２により構成されている。
【００９４】
（適用例５）
図２６は、表示装置１，２が適用される携帯電話機の外観を表したものである。この携帯電話機は、例えば、上側筐体７１０と下側筐体７２０とを連結部（ヒンジ部）７３０で連結したものであり、ディスプレイ７４０，サブディスプレイ７５０，ピクチャーライト７６０およびカメラ７７０を有している。そのディスプレイ７４０またはサブディスプレイ７５０は、表示装置１，２により構成されている。
【００９５】
以上、実施の形態および適用例を挙げて本技術を説明したが、本技術は上記各実施の形態および適用例に限定されるものではなく、種々変形が可能である。なお、本明細書中に記載された効果は、あくまで例示である。本技術の効果は、本明細書中に記載された効果に限定されるものではない。本技術が、本明細書中に記載された効果以外の効果を持っていてもよい。
【００９６】
また、例えば、本技術は以下のような構成を取ることができる。
（１）
複数の画素が行列状に配置された表示領域を有する表示パネルと、
前記表示領域の表面温度を非接触で計測する温度センサと、
第１発光制御データを前記温度センサの出力に応じて補正することにより得られた第２発光制御データに基づいて各前記画素を駆動する駆動回路基板と
を備えた
表示装置。
（２）
前記表示パネル、前記温度センサおよび前記駆動回路基板を収容する筐体をさらに備え、
前記筐体は、前記表示領域と対向する位置に開口を有し、さらに、前記開口の周囲に環状の額縁部を有し、
前記温度センサは、前記額縁部と対向する位置に配置されている
（１）に記載の表示装置。
（３）
前記表示パネルと前記額縁部との間に空隙が存在しており、
前記温度センサは、前記空隙に配置されている
（２）に記載の表示装置。
（４）
前記温度センサは、第１固定部を介して、前記額縁部の裏面、または前記表示パネルの上面に固定されている
（３）に記載の表示装置。
（５）
前記温度センサは、前記額縁部の上面に配置され、
前記筐体は、前記温度センサを覆うカバー部を有する
（２）に記載の表示装置。
（６）
前記温度センサは、第２固定部を介して前記カバー部に固定されている
（５）に記載の表示装置。
（７）
前記駆動回路基板は、前記温度センサの出力が所定の範囲外となっている場合に、前記温度センサの出力が前記所定の範囲内となるように、前記第１発光制御データを前記温度センサの出力に応じて補正する
（１）ないし（６）のいずれか１つに記載の表示装置。
（８）
前記駆動回路基板は、前記表示領域を細分化した部分領域ごとに、前記温度センサの出力が所定の範囲内となっているか否かを判定し、その結果、複数の部分領域のうちの一部の部分領域である特定領域において前記温度センサの出力が前記所定の範囲外となっている場合には、前記特定領域において前記温度センサの出力が前記所定の範囲内となるように、前記特定領域に対応する前記第１発光制御データを前記温度センサの出力に応じて補正する
（７）に記載の表示装置。
（９）
前記駆動回路基板は、前記特定領域において前記温度センサの出力が前記所定の範囲外となっている場合に、前記特定領域の外縁に対応する前記第１発光制御データと、前記特定領域に隣接する全ての部分領域のうち前記特定領域に近接する領域に対応する前記第１発光制御データとに対して、映像に輝度の境界が生じないように、輝度の境界をぼやかす補正を行う
（８）に記載の表示装置。
（１０）
前記温度センサは、赤外線センサである
（１）ないし（９）のいずれか１つに記載の表示装置。
（１１）
各前記画素は、有機ＥＬ素子を含む
（１）ないし（１０）のいずれか１つに記載の表示装置。
（１２）
複数の画素が行列状に配置された照明領域を有する照明パネルと、
前記照明領域の表面温度を非接触で計測する温度センサと、
第１発光制御データを前記温度センサの出力に応じて補正することにより得られた第２発光制御データに基づいて各前記画素を駆動する駆動回路基板と
を備えた
照明装置。
（１３）
前記照明パネル、前記温度センサおよび前記駆動回路基板を収容する筐体をさらに備え、
前記筐体は、前記照明領域と対向する位置に開口を有し、さらに、前記開口の周囲に環状の額縁部を有し、
前記温度センサは、前記額縁部と対向する位置に配置されている
（１２）に記載の表示装置。
（１４）
表示装置を備え、
前記表示装置は、
複数の画素が行列状に配置された表示領域を有する表示パネルと、
前記表示領域の表面温度を非接触で計測する温度センサと、
第１発光制御データを前記温度センサの出力に応じて補正することにより得られた第２発光制御データに基づいて各前記画素を駆動する駆動回路基板と
を有する
電子機器。
【符号の説明】
【００９７】
１，２…表示装置、３，４…照明装置、１０，８０…表示パネルモジュール、１１，８１…表示パネル、１１Ａ，８１Ａ…表示領域、１１Ｂ，８１Ｂ…額縁領域、１１Ｃ…映像表示面、１２，１２Ｒ，１２Ｇ，１２Ｂ，１２Ｗ，８２…画素、１３，８３…信号線駆動回路、１４，８４…走査線駆動回路、１５…電源線駆動回路、１６…有機ＥＬ素子、１７…画素回路、１８…表示画素、２０…駆動回路基板、２１，２２…配線、３０…温度センサ、３１…固定部、４０…信号処理回路、４１…正規化回路、４２…輝度補正回路、４３…階調化回路、５０…タイミング生成回路、６０…ドライバ、６１…サンプル・ホールド回路、６２…Ｄ／Ａ変換回路、６３…ドライバ回路、７０…筐体、７０Ａ…額縁部、７１…カバー部、８５…発光ダイオード、３００…映像表示画面部、３１０…フロントパネル、３２０…フィルターガラス、４１０…発光部、４２０，５３０，６４０…表示部、４３０…メニュースイッチ、４４０…シャッターボタン、５１０…本体、５２０…キーボード、６１０…本体部、６２０…レンズ、６３０…スタート／ストップスイッチ、７１０…上側筐体、７２０…下側筐体、７３０…連結部、７４０…ディスプレイ、７５０…サブディスプレイ、７６０…ピクチャーライト、７７０…カメラ、ＡＸ１…法線、ＡＸ２…光軸、Ｃｓ…保持容量、ＣＬＫ…クロック、ＤＡ，Ｄｉｎ，Ｄｉｎ１，Ｄｉｎ２，Ｖｓｉｇ１〜ＶｓｉｇＮ…映像信号、ＤＳＬ…電源線、ＤＴ…温度信号、ＤＴＬ…信号線、ＧＮＤ…グラウンド線、Ｔｉｎ…同期信号、ＴＰ…タイミングパルス、Ｔｒ１…駆動トランジスタ、Ｔｒ２…書込トランジスタ、Ｔｒ３…スイッチングトランジスタ、ＷＳＬ…走査線。
【図１】
2015194543.tif 000003
【図２】
2015194543.tif 000004
【図３Ａ】
2015194543.tif 000005
【図３Ｂ】
2015194543.tif 000006
【図４Ａ】
2015194543.tif 000007
【図４Ｂ】
2015194543.tif 000008
【図５Ａ】
2015194543.tif 000009
【図５Ｂ】
2015194543.tif 000010
【図６】
2015194543.tif 000011
【図７】
2015194543.tif 000012
【図８】
2015194543.tif 000013
【図９】
2015194543.tif 000014
【図１０】
2015194543.tif 000015
【図１１】
2015194543.tif 000016
【図１２】
2015194543.tif 000017
【図１３】
2015194543.tif 000018
【図１４】
2015194543.tif 000019
【図１５Ａ】
2015194543.tif 000020
【図１５Ｂ】
2015194543.tif 000021
【図１６】
2015194543.tif 000022
【図１７】
2015194543.tif 000023
【図１８】
2015194543.tif 000024
【図１９】
2015194543.tif 000025
【図２０】
2015194543.tif 000026
【図２１】
2015194543.tif 000027
【図２２】
2015194543.tif 000028
【図２３Ａ】
2015194543.tif 000029
【図２３Ｂ】
2015194543.tif 000030
【図２４】
2015194543.tif 000031
【図２５】
2015194543.tif 000032
【図２６】
2015194543.tif 000033